(57)【要約】      （修正有）【課題】面倒な操作等を行うことなく、ＩＣカード等からＩＤ情報やコード情報等を携帯端末に容易に入力できるようにする。【解決手段】透孔部２を有する平板からなる前面板１と、前面板１と概ね平行に設けられた平板からなる後面板３と、前面板１及び後面板３を載置面に対して垂直に保持する台座部４と、後面板３の前側の所定位置に、ＩＣカード６より少し大きい幅の切り欠き部８を上側に設けた板状体７が接着され、前面板１と後面板３との間隔が、スマートフォン５と板状体７を合わせた最大厚さ以上である携帯端末保持スタンド。【選択図】図１
2015115709.tif 000002
【特許請求の範囲】
【請求項１】
少なくとも一部に透明部、透孔部又は切り欠き部を有する平板からなる前面板と、
前記前面板と概ね平行に設けられた平板からなる後面板と、
前記前面板及び前記後面板を保持する台座部と、
前記後面板又は前記前面板の所定位置に、情報担体を保持すべき位置を指示する保持位置指示表示若しくは前記情報担体を保持すべき位置を画定する情報担体位置決め装置を設け、
前記前面板と前記後面板との間隔が、前記情報担体に表示若しくは記録してある情報を読み取る携帯端末の最大厚さ又は該携帯端末と前記情報担体位置決め装置を合わせた最大厚さ以上であることを特徴とする
携帯端末保持スタンド。
【請求項２】
前記情報担体位置決め装置は、前記情報担体より少し大きい幅の切り欠き部を上側又は横側に設けた板状体又は前記情報担体の幅より少し大きい間隔を隔てて設けた２枚の板状体を、前記後面板の前側又は前記前面板の後ろ側に配置してなることを特徴とする
請求項１に記載の携帯端末保持スタンド。
【請求項３】
前記情報担体位置決め装置は、前記情報担体を挿入可能又は把持可能な保持部を、前記後面板の後ろ側又は前記前面板の前側に配置してなることを特徴とする
請求項１に記載の携帯端末保持スタンド。
【請求項４】
前記情報担体位置決め装置は、一方の対角が４５度の平行四辺形を上面及び底面とする空洞の角柱体の前面の一端部及び後面の他端部に透明部又は穴部を設けるとともに、各透明部又は穴部の後ろ側壁面及び前側壁面に各々鏡面を設けた表示反射装置を前記後面板の後ろ側に配置してなることを特徴とする
請求項１に記載の携帯端末保持スタンド。
【請求項５】
前記保持位置指示表示は、前記情報担体と概ね同じ大きさの領域を画する表示であることを特徴とする
請求項１に記載の携帯端末保持スタンド。
【発明の詳細な説明】
【技術分野】
【０００１】
この発明は、ＩＣカード、ＲＦＩＤタグ、バーコードやＱＲコード（登録商標）を表示したシールや印刷物等（以下「ＩＣカード等」という。）からＩＤ情報やコード情報等を読み取る機能を有するスマートフォン、タブレット端末等の携帯端末がＩＤ情報やコード情報等を読み取り易くすることのできる携帯端末スタンドに関するものである。
【背景技術】
【０００２】
従来、特許文献１（特許第５０６２５６７号公報）に記載されるように、入力端末を用いてＩＣカード等からＩＤ情報やコード情報等を読み取り、各入力端末から送られてくるＩＤ情報やコード情報等をもとに、活動の評価を実行する活動評価システムが知られている。
また、特許文献２（特表２００７−５３６６６５号公報）に記載されるように、携帯用電子装置内部の通信装置によってＲＦＩＤタグから情報を読み取るに際して、その通信装置をＲＦＩＤタグの近辺にユーザが保持することを容易にするため、携帯用電子装置の表示装置に位置指標を表示するようにしたものが知られている。
【先行技術文献】
【特許文献】
【０００３】
【特許文献１】特許第５０６２５６７号公報
【特許文献２】特表２００７−５３６６６５号公報
【発明の概要】
【発明が解決しようとする課題】
【０００４】
しかし、ＩＣカード等からＩＤ情報やコード情報等を携帯端末に入力する場合、携帯端末における情報読み取り用のアンテナがある位置の近傍にＩＣカードやＲＦＩＤタグ等を静止させる必要があり、携帯端末のカメラの所定視野内にバーコードやＱＲコード（登録商標）等が納まるようにシールや印刷物等を静止させる必要がある。
ところが、情報読み取り用のアンテナがある位置は携帯端末の種類や機種によって異なり、カメラの所定視野はそれほど大きくないため、ＩＤ情報やコード情報等を携帯端末に入力するに際して、ＩＣカード等を正確な位置に保持することは、慣れていないと難しく時間がかかることが多かった。
また、特許文献２においても、入力前において表示装置に位置指標を表示させるための操作を行う必要があり面倒であった。
本発明は、面倒な操作等を行うことなく、ＩＣカード等からＩＤ情報やコード情報等を携帯端末に容易に入力できるようにすることを目的とする。
【課題を解決するための手段】
【０００５】
請求項１に係る発明の携帯端末保持スタンドは、少なくとも一部に透明部、透孔部又は切り欠き部を有する平板からなる前面板と、前記前面板と概ね平行に設けられた平板からなる後面板と、前記前面板及び前記後面板を保持する台座部と、前記後面板又は前記前面板の所定位置に、情報担体を保持すべき位置を指示する保持位置指示表示若しくは前記情報担体を保持すべき位置を画定する情報担体位置決め装置を設け、
前記前面板と前記後面板との間隔が、前記情報担体に表示若しくは記録してある情報を読み取る携帯端末の最大厚さ又は該携帯端末と前記情報担体位置決め装置を合わせた最大厚さ以上であることを特徴とする。
【０００６】
請求項２に係る発明は、請求項１に記載の携帯端末保持スタンドにおいて、前記情報担体位置決め装置は、前記情報担体より少し大きい幅の切り欠き部を上側又は横側に設けた板状体又は前記情報担体の幅より少し大きい間隔を隔てて設けた２枚の板状体を、前記後面板の前側又は前記前面板の後ろ側に配置してなることを特徴とする。
【０００７】
請求項３に係る発明は、請求項１に記載の携帯端末保持スタンドにおいて、前記情報担体位置決め装置は、前記情報担体を挿入可能又は把持可能な保持部を、前記後面板の後ろ側又は前記前面板の前側に配置してなることを特徴とする。
【０００８】
請求項４に係る発明は、請求項１に記載の携帯端末保持スタンドにおいて、前記情報担体位置決め装置は、一方の対角が４５度の平行四辺形を上面及び底面とする空洞の角柱体の前面の一端部及び後面の他端部に透明部又は穴部を設けるとともに、各透明部又は穴部の後ろ側及び前側に各々鏡面を設けた表示反射装置を前記後面板の後ろ側に配置してなることを特徴とする。
【０００９】
請求項５に係る発明は、請求項１に記載の携帯端末保持スタンドにおいて、前記保持位置指示表示は、前記情報担体と概ね同じ大きさの領域を画する表示であることを特徴とする。
【発明の効果】
【００１０】
請求項１に係る発明の携帯端末保持スタンドによれば、前面板と後面板との間に携帯端末を挿入して保持するとともに、情報担体を後面板又は前面板の所定位置に保持し易くすることができるので、その所定位置を携帯端末が情報担体に表示若しくは記録してある情報を読み取り易い位置とすることによって、携帯端末保持スタンドに携帯端末を保持させ、情報担体を保持位置指示表示に従って保持し又は情報担体位置決め装置にセットすることで、容易かつ確実にその情報を携帯端末で読み取ることができる。
また、前面板は少なくとも一部に透明部、透孔部又は切り欠き部を有しているので、携帯端末の表示部に表示される必要な情報を視認でき、必要に応じて表示面をタッチして携帯端末への入力を行うことができる。
さらに、入力を禁止したい項目を表示する領域に対向する透明部を厚くし、又はその領域に対向する部分には透孔部や切り欠き部を設けないことによって、携帯端末への入力を適宜禁止することもできる。
【００１１】
請求項２に係る発明の携帯端末保持スタンドによれば、請求項１に係る発明による効果に加え、情報担体より少し大きい幅の切り欠き部を上側又は横側に設けた板状体又は情報担体の幅より少し大きい間隔を隔てて設けた２枚の板状体を、後面板の前側又は前面板の後ろ側に配置しているので、情報担体をその切り欠き部又は２枚の板状体の間に挿入するだけで、容易かつ確実にその情報を携帯端末で読み取ることができる。
【００１２】
請求項３に係る発明の携帯端末保持スタンドによれば、請求項１に係る発明による効果に加え、情報担体を挿入可能又は把持可能な保持部を、後面板の後ろ側又は前面板の前側に配置しているので、情報担体をその保持部に挿入し又は把持させるだけで、容易かつ確実にその情報を携帯端末で読み取ることができる。
【００１３】
請求項４に係る発明の携帯端末保持スタンドによれば、請求項１に係る発明による効果に加え、一方の対角が４５度の平行四辺形を上面及び底面とする空洞の角柱体の前面の一端部及び後面の他端部に透明部又は穴部を設けるとともに、各透明部又は穴部の後ろ側及び前側に各々鏡面を設けた表示反射装置を後面板の後ろ側に配置しているので、情報担体位置決め装置を薄くすることができる。
そして、情報担体に表示してある情報を、角柱体後面の他端部に設けた透明部又は穴部に位置させれば、その情報は２つの鏡面で反射され正像となるので、携帯端末のカメラで容易かつ確実に撮影して読み取ることができる。
【００１４】
請求項５に係る発明の携帯端末保持スタンドによれば、請求項１に係る発明による効果に加え、保持位置指示表示が情報担体と概ね同じ大きさの領域を画する表示であるので、情報担体をその領域に重ねるだけで、容易かつ確実にその情報担体に記録してある情報を携帯端末で読み取ることができる。
【図面の簡単な説明】
【００１５】
【図１】実施例１に係る携帯端末保持スタンドの前面側からの斜視図。
【図２】実施例１に係る携帯端末保持スタンドの後面側からの斜視図。
【図３】実施例２に係る携帯端末保持スタンドの後面側からの斜視図。
【図４】実施例３に係る携帯端末保持スタンドの後面側からの斜視図。
【発明を実施するための形態】
【００１６】
以下、実施例によって本発明の実施形態を説明する。
【実施例１】
【００１７】
実施例１の携帯端末保持スタンドは、図１に示すように、透孔部２を有する平板からなる前面板１と、前面板１と概ね平行に設けられた平板からなる後面板３と、前面板１及び後面板３を載置面に対して垂直に保持する台座部４を基本構成としている。
そして、携帯端末としてのスマートフォン５を、前面板１と後面板３との間に挿入して保持させることができ、保持状態においてスマートフォン５の表示画面が透孔部２を通して視認でき、必要に応じて表示画面をタッチして入力操作を行うことができるようになっている。
【００１８】
実施例１の携帯端末保持スタンドの後面板３の前側には、図２に示すように、ＩＤ情報等を記録してある情報担体であるＩＣカード６を後面板３とスマートフォン５の間の所定位置に挿入できるようにするための切り欠き部８を上側に設けた板状体７が接着されている。
切り欠き部８は、ＩＣカード６より少し大きい幅の長方形状であり、ＩＣカード６に記録してあるＩＤ情報等を読み取るためにスマートフォン５が有しているアンテナの位置に対向する箇所に設けられている。
切り欠き部８を設けるに際しては、切り欠き部のない板状体からカッター等を用いて切り取る方法、板状体の上側から下側に向かって予めＩＣカード６の幅の２分の１〜５分の１程度の間隔で複数の切れ込みを設けるとともに板状体の下側に溝を切っておき、その溝を用いて適当な位置にある２つの切れ込みの間にある短冊状の部分を折り取る方法等が採用可能である。
また、板状体７は、その下端部に突出部９が形成されＬ字状となっている。
そして、その突出部９はスマートフォン５の最大厚さ以上の幅となっている。
【００１９】
さらに、図示してはいないが、Ｌ字状の突出部９の適宜位置には穴又は切り欠きが設けられるとともに、台座部４の底面又は側面の適宜位置にも穴が設けられており、スマートフォン５に固定されたワイヤがこれらの穴を通過できるようになっている。
そうしてあることによって、ワイヤの一端を携帯端末スタンドの載置面自体又は載置面近傍に設けてある突起や穴に固定することで、携帯端末及び携帯端末スタンドを容易には持ち去ることができないようにすることができる。
【実施例２】
【００２０】
実施例２の携帯端末保持スタンドは、実施例１の携帯端末保持スタンドと同様、透孔部２を有する平板からなる前面板１と、前面板１と概ね平行に設けられた平板からなる後面板３と、前面板１及び後面板３を載置面に対して垂直に保持する台座部４を基本構成としている。
実施例２の携帯端末保持スタンドの後面板３には、図３に示すように、スマートフォン５のレンズ部１０に対向する位置に透明部又は穴部１１が設けてある。
【００２１】
また、実施例２の携帯端末保持スタンドの後ろ側には、図３に示すように、一方の対角αが４５度の平行四辺形を上面及び底面とする空洞の角柱体１２が設けられ、その角柱体１２は前面の一端部に透明部又は穴部１３を有するとともに、後面の他端部に透明部又は穴部１４を有している。
さらに、その透明部又は穴部１３の後ろ側壁面１５及び透明部又は穴部１４の前側壁面１６には鏡面が設けられ、また、角柱体１２の後面の他端部付近には、透明部又は穴部１４と対向する位置に切り欠き部１７を有する保持部１８が設けてあり、角柱体１２と保持部１８によって表示反射装置を構成している。
【００２２】
保持部１８は、バーコードやＱＲコード（登録商標）等の表示が付されている情報担体である印刷物１９を挿入保持するとともに、挿入保持した位置においてバーコードやＱＲコード（登録商標）等が切り欠き部１７、すなわち透明部又は穴部１４と対向するようになっている。
そのため、印刷物１９を保持部１８に挿入するだけで、ＱＲコード（登録商標）が透明部又は穴部１４と対向し、ＱＲコード（登録商標）の像が２つの鏡面で反射され正像となるので、スマートフォン５のカメラで撮影して読み取ることができる。
【実施例３】
【００２３】
実施例３の携帯端末保持スタンドは、実施例１の携帯端末保持スタンドと同様、透孔部２を有する平板からなる前面板１と、前面板１と概ね平行に設けられた平板からなる後面板３と、前面板１及び後面板３を載置面に対して垂直に保持する台座部４を基本構成としている。
【００２４】
実施例３の携帯端末保持スタンドの後面板３の後ろ側には、ＩＤ情報等を記録してある情報担体であるＩＣカード６と概ね同じ大きさのシール２０が貼り付けてある。
そのシール２０には、適宜の色又はデザインが施され、後面板３とは違う領域であると視認できるようになっているとともに、「ここにカードを重ねて下さい」といった指示を表す文字２１が記載されている。
シール２０を貼り付ける位置は、ＩＣカード６に記録してあるＩＤ情報等を読み取るためにスマートフォン５が有しているアンテナの位置に対向する箇所とする。
【００２５】
実施例１〜３の携帯端末保持スタンドに関する変形例を列記する。
（１）実施例１〜３においては、スマートフォン５を前面板１と後面板３との間に挿入して保持させているが、スマートフォン５は携帯端末の一例であり、通常の携帯電話、タブレット端末又はミニタブレット端末等、ＩＣカード等からＩＤ情報やコード情報等を読み取る機能を有するものであれば種類や機種は問わない。
（２）実施例１〜３の前面板１は、透孔部２を有しているが、透孔部２に代えて透明部や切り欠き部としても良い。
なお、透明部とした場合であって、スマートフォン５の表示画面をタッチして入力操作を行う必要がある場合には、少なくともタッチが必要な領域における透明部は、入力操作を妨げない適宜材質の薄い透明シートとする。
（３）実施例１〜３の透孔部２は、スマートフォン５の表示画面と同等の大きさとなっているが、ＩＣカード等からＩＤ情報やコード情報等をスマートフォン５に入力するに際して必要な表示が見える部分及び表示画面をタッチして入力操作を行う必要がある場合にタッチが必要な部分のみに透孔部を設ければ良い。
そうすることによって、誤操作を防止することが可能となる。
（４）実施例１の後面板３は、透孔部や切り欠き部を有していないが、ＩＣカード６を挿入した時にＩＣカード６を定位置に保持できれば、適宜透孔部や切り欠き部を設けても良い。
（５）実施例１〜３の台座部４は前面板１及び後面板３を載置面に対して垂直に保持するようになっているが、載置面に対して適宜の角度をもって保持するようにしても良いし、載置面に対する角度を変更できるように揺動機構を設けても良い。
（６）実施例１の後面板３の前側には、ＩＣカード６より少し大きい幅の切り欠き部８を上側に設けた板状体７が接着されているが、切り欠き部８は横側に設けてＩＣカード６を横から挿入できるようにしても良い。
また、ＩＣカード６の幅より少し大きい間隔を隔てて２枚の板状体を後面板３の前側に接着しても良い。そして、２枚の板状体を左右に並べて接着した場合、突出部９の適宜位置に設けてある穴又は切り欠きは、必ずしも必要なくなる。
（７）実施例１の後面板３の前側には板状体７が接着されているが、接着に代えて溶着しても良く、後面板３の前側と板状体７の後ろ側に面ファスナー等の固定手段を設けて固定しても良い。
また、周囲を粘着テープやクリップ等で固定したり、後面板３の後ろ側からネジ等によって固定したりしても良い。
（８）実施例１の板状体７は、その下端部に突出部９が形成されＬ字状となっているが、突出部９はなくても良い。
（９）実施例１の後面板３の前側には板状体７が接着されているが、後面板３の前側に板状体７を接着するのに代えて、後面板３の後ろ側にＩＣカード６を挿入可能又は把持可能な保持部を設けても良い。
ＩＣカード６を挿入可能な保持部としては、上側又は横側に挿入口を有するコの字状又はロの字状の箱体が一例として挙げられる。
また、ＩＣカード６を把持可能な保持部としては、後面板３の後ろ側にＬ字状に上方又は下方に突出したＬ字部材であって、少なくともその上方端又は下方端と後面板３の表面との間隔がＩＣカード６の厚さより小さくなっているものが挙げられる。Ｌ字部材は弾性を有しており、その上方端又は下方端と後面板３の間にＩＣカード６を差し込んだ時、その上方端又は下方端が開くとともに、その弾性によって後面板３側にＩＣカード６を押し付けて把持する。
さらに、ＩＣカード６を把持可能な保持部の別の例としては、バネ力によって閉じているクリップ状の把持体を人力で開いてＩＣカード６を差し込み、その後バネ力でＩＣカード６を把持するものが挙げられる。
（１０）実施例１及び上記変形例（６）〜（９）においては、板状体や保持部を後面板３に設けているが、板状体や保持部が透明であったり、板状体や保持部を設ける位置がＩＤ情報やコード情報等をスマートフォン５に入力するに際して必要な表示がされる領域から外れていたりする場合には、板状体や保持部を前面板１に設けても良い。
なお、ＩＣカード６を保持している時に必要な表示が見えなくなったとしても、ＩＤ情報等がスマートフォン５に入力された後にＩＣカード６を外せば良いので、格別問題は生じない。
（１１）実施例２の後面板３の後ろ側には、角柱体１２と保持部１８よりなる表示反射装置が配置されているが、保持部１８は必ずしも必要ない。
保持部１８を設けない場合には、バーコードやＱＲコード（登録商標）等を利用者が角柱体１２の透明部又は穴部１４側に向けて押さえて保持すれば、スマートフォン５のカメラで撮影して読み取ることができる。
（１２）実施例２においては、後面板３の後ろ側に表示反射装置が配置されているが、表示反射装置に代えて、後面板３に設けてある透明部又は穴部１１からスマートフォン５のレンズ部１０の光軸に沿って延びる筒体を設けても良い。
そうした場合、バーコードやＱＲコード（登録商標）等をその筒体の端部において、利用者が透明部又は穴部１１側に向けて押さえて保持すれば、スマートフォン５のカメラで撮影して読み取ることができる。
また、その筒体の端部には実施例２の保持部１８と同様の保持部を設けても良い。
そうした場合、バーコードやＱＲコード（登録商標）等の表示が付されている情報担体である印刷物１９を保持部に挿入するだけで、バーコードやＱＲコード（登録商標）等をスマートフォン５のカメラで撮影して読み取ることができる。
（１３）実施例３においては、シール２０に指示を表す文字２１が記載されているが、この文字２１は記載しなくても良い。
（１４）実施例３においては、後面板３の後ろ側にＩＣカード６と概ね同じ大きさのシール２０が貼り付けてあるが、後面板３が透明であれば前側に貼り付けても良い。
また、シール２０を貼り付けるのに代えて、後面板３の後ろ側又は前側（後面板３が透明の場合）に直接ＩＣカード６と概ね同じ大きさの領域を画する表示を施しても良い。
さらに、ＩＣカード６等の情報担体を保持すべき位置を指示する表示が後面板３自体又は後面板３の近傍に分かり易く施されていれば、その表示の態様や位置は自由である。
例えば、後面板３のＩＣカード６を保持すべき位置の中心に適当なマークを施す、後面板３の上縁部及び側縁部にＩＣカード６を保持すべき位置の中心に向かう矢印の表示を施したり矢印の形をしたシールを貼り付けたりするといった態様や位置を挙げることができる。
（１５）実施例３及び上記変形例（１２）においては、ＩＣカード６等の情報担体を保持すべき位置を指示する表示が後面板３側に設けてあるが、その表示がＩＤ情報やコード情報等をスマートフォン５に入力するに際して必要な表示の妨げにならない大きさや位置であれば、前面板１側に設けても良い。
なお、上記変形例（１０）に記載したと同様に、ＩＣカード６を保持している時に必要な表示が見えなくなったとしても、ＩＤ情報等がスマートフォン５に入力された後にＩＣカード６を外せば良いので、格別問題は生じない。
（１６）実施例１、上記変形例（６）〜（１０）、実施例３又は上記変形例（１３）〜（１５）は、ＩＣカード６に記録されている情報を読み取り易くするための構成だけを備えているが、バーコードやＱＲコード（登録商標）等を読み取り易くするための構成（実施例２又は上記変形例（１１）若しくは（１２）の構成）を、併せ備えるようにしても良い。
【符号の説明】
【００２６】
１  前面板      ２  透孔部      ３  後面板
４  台座部      ５  スマートフォン      ６  ＩＣカード
７  板状体      ８  切り欠き部      ９  突出部
１０  レンズ部      １１、１３、１４  透明部又は穴部
１２  角柱体      １５  後ろ側壁面      １６  前側壁面
１７  切り欠き部      １８  保持部      １９  印刷物
２０  シール      ２１  文字
【図１】
2015115709.tif 000003
【図２】
2015115709.tif 000004
【図３】
2015115709.tif 000005
【図４】
2015115709.tif 000006